(57)【要約】【課題】胃瘻用カテーテルを介した栄養投与において、医師や介助者が投与を行う際の作業の簡略化を目的とする。【解決手段】本発明の接続器具は、パウチ容器の口部材と医療用カテーテルとを接続する接続部材であって、一端側に医療用カテーテルと接続されるカテーテル側装着部と、他端側にパウチ容器の口部材に接続されるパウチ側装着部とを有し、パウチ側装着部の側方に開口が形成され、接続部材を前記口部材に対してスライドさせることで、前記開口が前記口部材によって封止された状態と、前記開口が露出した状態を切り替える。これにより、接続器具がパウチ容器のキャップの役割を果たすため、キャップから接続器具へ付替えする手間が省かれ、より簡単に栄養剤投与を行うことができる。【選択図】図１
2012205635.tif 000002
【特許請求の範囲】
【請求項１】
パウチ容器の口部材と医療用カテーテルとを接続する接続部材であって、
一端側に前記医療用カテーテルと接続されるカテーテル側装着部と、
他端側に前記パウチ容器の口部材に接続されるパウチ側装着部とを有し、
前記パウチ側装着部の側方に開口が形成され、
前記接続部材を前記口部材に対してスライドさせることで、前記開口が前記口部材によって封止された状態と、前記開口が露出した状態を切り替えることを特徴とする接続部材。
【発明の詳細な説明】
【技術分野】
【０００１】
本発明は、接続器具に関する。
【背景技術】
【０００２】
経口的に栄養を摂取できない患者に対する栄養補給として、腹部に瘻孔を設け瘻孔用カテーテルを留置する経皮内視鏡的胃瘻造設術が行われている。この瘻孔用カテーテルを介して胃に経腸栄養剤を直接投与することで、腸管から栄養や水分を吸収することができる。瘻孔用カテーテルは、その留置手技、患者の容態、使用期間、介助者の操作性などを考慮して様々な種類が存在する。
【０００３】
経腸栄養剤が充填されているパウチ容器には、口部材が接合されており、一般にはこの口部材にキャップがなされた状態で流通している。瘻孔用カテーテルを介して患者へ経腸栄養剤を投与する場合は、パウチ容器のキャップを取り外して接続器具に付替え、接続器具を樹脂製の栄養チューブのコネクターに係合し、更に栄養チューブを瘻孔用カテーテルに係合することによって行われる。この栄養チューブは、一端が瘻孔用カテーテルと係合できる形状を有し、もう一端はパウチ容器に係合された接続器具が圧入できる接続部を有する。現在、栄養チューブに設けられた接続部にはさまざまなサイズが流通している。そのため経腸栄養剤メーカーは、経腸栄養剤のパウチ容器に先端がテーパー状になった筒状の接続器具を同梱し、サイズの異なる接続部に係合できるようにしなければならなかった。
【先行技術文献】
【特許文献】
【０００４】
【特許文献１】特開２００６−２４７３４０号公報
【特許文献２】特開２００９−１３６４２７号公報
【発明の概要】
【発明が解決しようとする課題】
【０００５】
上記のように従来の方法では、介助者は患者へパウチ容器の経腸栄養剤を投与するため、パウチ容器を密封しているキャップを取り外し、接続器具に付け替える必要があり、介助者にとっては煩わしいものであった。また経腸栄養剤メーカーは、経腸栄養剤のパウチ容器の他に接続器具も揃える必要があり、構成部品数が増加してしまう問題がある。
本発明は上記問題を解決するため、接続器具単独で経腸栄養剤のパウチ容器と栄養チューブを連結し、更に経腸栄養剤のパウチ容器を密封するキャップの役割を果たす接続器具を提供し、介助者の手間を省くと共に、部品数削減によるコスト低減、ひいては廃棄物の削減に寄与するものである。
【課題を解決するための手段】
【０００６】
上記の目的は、下記に記載の本発明により達成される。
パウチ容器の口部材と医療用カテーテルとを接続する接続部材であって、一端側に前記医療用カテーテルと接続されるカテーテル側装着部と、他端側に前記パウチ容器の口部材に接続されるパウチ側装着部とを有し、前記パウチ側装着部の側方に開口が形成され、前記接続部材を前記口部材に対してスライドさせることで、前記開口が前記口部材によって封止された状態と、前記開口が露出した状態を切り替えることを特徴とする接続部材。
【発明の効果】
【０００７】
本発明によると、上記の特徴を有する接続器具を経腸栄養剤のパウチ容器の口部材に係合させることにより、接続器具がパウチ容器のキャップの役割を果たすため、キャップから接続器具へ付替えする手間が省かれ、より簡単に栄養剤投与を行うことができる。更に、栄養剤パウチ容器のキャップが不要となるため、廃棄物の削減に好適である。
【図面の簡単な説明】
【０００８】
【図１】本発明の接続器具の断面図である。
【図２】本発明の接続器具と、パウチ容器との係合様式を説明するための説明図である。
【図３】本発明の接続器具と、パウチ容器との係合様式を説明するための説明図である。
【発明を実施するための形態】
【０００９】
以下、本発明の実施形態について図面を参照しつつ説明する。
図１は、本発明の接続器具の断面図である。図２は、本発明の接続器具と、パウチ容器との係合様式を説明するための説明図であり、接続器具がキャップの役割を果たしている図である。図３は、本発明の接続器具と、パウチ容器との係合様式を説明するための説明図であり、接続器具が栄養チューブに圧入され、パウチ容器の経腸栄養剤充填部に接続器具に施された孔が到達し、連通した図である。
【００１０】
接続部材１は、内腔１６を有する部材であり、パウチ容器２の口部材３と医療用カテーテルとを接続する。接続部材１は、一端側に医療用カテーテルと接続される接続部１５と、他端側にパウチ容器２の口部材３に接続される係合部１１とを有する。そして、係合部１１の基端側側面には内腔１６まで連通する孔１３が形成されている。また、係合部１１の基端は封止部１２として閉塞されている。
【００１１】
接続部材１としては、例えば、アクリロニトリル・ブタジエン・スチレン共重合体（ＡＢＳ）樹脂やポリエチレン樹脂、ポリプロピレン樹脂などのポリオレフィン系樹脂が挙げられるが、これらに限定されるものではなく、いかなる材料を用いることもできる。特に栄養剤と長期間接触するため、栄養剤中への溶出が少ない材料が好ましい。
【００１２】
接続部材１の大きさは、接続する口部材３や医療用カテーテルに応じて適宜調整される。一般的には、接続部材１は、例えば、長さが６０〜８０ｍｍ程度である。また、内腔１６の径は、例えば、４〜６ｍｍ程度であれば、栄養剤の投与がスムーズとなるため好ましい。
【００１３】
接続部１５は、接続部材１の一端側に設けられ、医療用カテーテルと接続される。接続部１５の形状は、滑り止め部を有する先細テーパー形状が望ましい。滑り止めは、例えば、図１に示すようなタケノコ状の構造が挙げられるが、表面を単に粗くした紙やすりのような性状としてもよい。先細テーパー形状はカテーテルチップタイプのシリンジのオスルアーの形状と同等であることが望ましい。また、接続部１５の先端は内腔１６と連通するように開口している。
【００１４】
接続部１５の大きさは、用いる医療用カテーテルに応じて適宜調整される。一般的には、接続部１５は、例えば、長さが２０〜３０ｍｍ程度、先端部の外径が６〜８ｍｍ程度、基端部の外径が１０〜１５ｍｍ程度であることが好ましい。接続部１５の寸法が上記範囲内にあれば、医療用カテーテルとより確実に接続することができる。
【００１５】
係合部１１は、接続部材１の他端側に設けられ、口部材３と接続される。係合部１１の形状は、特に限定されないが口部材３に挿入されるため、口部材３と同様の形状であることが好ましい。なお、接続部１５と係合部１１は一体として形成されてもよいし、別体として形成された後、溶着などにより一体化してもよい。
【００１６】
係合部１１の大きさは、接続される口部材３に応じて適宜調整される。一般的には、係合部１１は、例えば、長さが４０〜５０ｍｍ程度であることが好ましい。また、係合部１１の外径は、口部材３の内径より０．１〜０．２ｍｍ程度小さいことが好ましい。係合部１１の寸法が上記範囲内にあれば、口部材３とより確実に接続することができ、係合部１１と口部材３の間隙からの栄養剤の漏出を防ぐこともできる。
【００１７】
係合部１１の基端は内腔１６と連通しないように封止されている（封止部１２）。封止部１２は、後に説明するように口部材３を封止し、パウチ容器２の蓋の役割を担う。
【００１８】
係合部１１の基端部の側面には孔１３が形成されている。孔１３は栄養投与時にパウチ容器内部の栄養剤の出口となる。孔１３の形状は、粘度の高い栄養剤の圧送時に抵抗となりにくい大きな開口面積を有する一方、圧縮時にパウチ容器に損傷を与え得る鋭利な形状を有しないものが好適であり、例えば四隅が円弧となった長方形の形状が望ましい。
【００１９】
係合部１１の基端部の側面に施された孔１３の大きさは、接続部材１の長手方向の一辺が５〜１０ｍｍ程度であり、もう一辺は３〜５ｍｍ程度であることが望ましい。また孔１３は係合部１１の数は一か所である必要はなく、係合部１１の基端部の対向する側面に施されていてもよい。そして栄養剤の円滑な圧送を実現するため、係合部１１に対する孔１３の断面は、係合部１１に対して傾斜した形状を有する。
【００２０】
次に、本発明の接続器具１の使用例について説明する。本発明の接続器具１はパウチ容器２の蓋の役割を兼ねる。図２に示すように、保存状態では孔１３が口部材３により覆われている。この状態ではパウチ容器２の内部と接続器具１の内腔１６は連通しておらず、栄養剤の密閉状態を維持することができる。
【００２１】
栄養投与時においては、図３に示すように接続部材１をパウチ容器２内に摺動させる。これにより孔１３がパウチ容器２の内部に露出し、内腔１６とパウチ容器２が連通する。したがって、接続機器１を介して栄養剤の投与が可能となる。
【００２２】
孔１３を連通から閉鎖状態へ変更する構造については、接続部材１を摺動させて孔１３の位置を変位させることで達成できるが、摺動の方向については接続部材１の長さ方向であっても、回転方向であっても良い。回転方向で摺動させる場合には口部材３にも第二の孔（図示せず）を付設することが必要である。近年粘度の高い栄養剤が好ましいとされている。孔１３が送液抵抗の最大部とならないように、孔１３の開口面積は接続部材１の内径と同じかそれ以上とした方が望ましい。
【００２３】
接続部材１に対して意図しない圧入負荷が掛けられた際にもパウチ容器２の内部と外部の連通が発生しないように、接続部材１と口部材３には固定手段を付設することが望ましい。固定手段は例えば、接続部材１に付設したツメ１４と口部材３に付設する突起３１である。
【００２４】
さらに、係合部１１はパウチ容器２の内容物を外部に漏らさない機能も必要である。このため係合部１１にはOリングを付設してもよい。単に口部材３と接続部材１とで液密性を確保する場合は高度な寸法精度が必要である。
【００２５】
接続部材１の一端には封止部１２を有する。封止部１２はパウチ容器２を傷つけないような丸みを帯びた形状であることが望ましい。
【００２６】
以上、本発明を実施形態に基づいて説明した。これらの実施形態はあくまで例示であり、種々の変形例が可能なこと、またそうした変形例も本発明の範囲にあることは当業者に理解されるところである。
【符号の説明】
【００２７】
１    接続部材
１１  係合部
１２  封止部
１３  孔
１４  ツメ
１５  接続部
１６  内腔
２    パウチ容器
３    口部材
３１  突起
【図１】
2012205635.tif 000003
【図２】
2012205635.tif 000004
【図３】
2012205635.tif 000005